(57)【特許請求の範囲】
【請求項１】
光源部と、該光源部を覆うバルーンと、該バルーンの内部に空気を送り込む送風部とを備えたバルーン式照明装置において、
上記光源部は、
外面に複数のＬＥＤ素子が配列されて支持側端部が揺動自在に支持される複数の発光板と、
先端側で各発光板の内面側を支持し、基端側がスライダに揺動可能に連結された複数のアーム部と、
上記スライダをスライド移動可能に支持するシャフト部とを備え、
上記スライダを上記シャフト部に沿ってスライドさせることで上記アーム部により上記複数の発光板が揺動され、起立して筒状となる閉じ状態と、外方へ倒れる開き状態とに切換可能に構成され、
上記シャフト部には、上記スライダを上記シャフト部に沿って付勢して上記複数の発光板を閉じ状態又は開き状態へ揺動させる付勢部材が設けられている
ことを特徴とするバルーン式照明装置。
【請求項２】
請求項１に記載のバルーン式照明装置において、
上記付勢部材は、上記複数の発光板を閉じ状態へ付勢し、
上記複数の発光板の少なくとも１つには、引っ張ることで、上記付勢部材に抗して上記複数の発光板を同時に開くツマミ部が設けられている
ことを特徴とするバルーン式照明装置。
【請求項３】
請求項２に記載のバルーン式照明装置において、
上記閉じ状態において、上記複数の発光板の間に配置される複数の支柱を備え、
上記ツマミ部の一部が上記複数の支柱のいずれかに当接して上記複数の発光板の開き状態を保持可能に構成されている
ことを特徴とするバルーン式照明装置。
【請求項４】
請求項３に記載のバルーン式照明装置において、
上記付勢部材は、上記シャフト部の外周に挿入される圧縮コイルバネであり、上記スライダを押し下げるように構成されている
ことを特徴とするバルーン式照明装置。
【請求項５】
請求項４に記載のバルーン式照明装置において、
上記アーム部の先端は、上記スライダに連結された基端よりも上記圧縮コイルバネ側にある
ことを特徴とするバルーン式照明装置。
【請求項６】
請求項１〜５のいずれか１つに記載のバルーン式照明装置において、
上記発光板の内面には、複数の放熱フィンが設けられ、
上記アーム部は、上記放熱フィンを避ける回避部を有し、
上記アーム部の先端は、上記発光板の内面における上記放熱フィンの間の平坦な部分に連結されている
ことを特徴とするバルーン式照明装置。
【発明の詳細な説明】
【技術分野】
【０００１】
本発明は、光源部と、この光源部を覆うバルーンと、このバルーンの内部に空気を送り込む送風部とを備えたバルーン式照明装置に関するものである。
【背景技術】
【０００２】
従来より、周方向に間隔を開けて複数本の支柱が起立させられ、これら支柱間に外側面に多数のＬＥＤ素子を配置した発光板の一部を揺動自在にして軸支され、これら発光板のそれぞれ背面にはブラケットを介してスライドしさらに長孔を有する発光板の角度調節板がそれぞれ連結され、それぞれの角度調節板の重合された長孔に支持ボルトを挿通し、この支持ボルトに角度調節板の長孔を押圧支持した光源部を有するバルーン式照明装置は知られている（例えば、特許文献１参照）。
【先行技術文献】
【特許文献】
【０００３】
【特許文献１】特開２０１３−９８０１３号公報
【発明の概要】
【発明が解決しようとする課題】
【０００４】
しかしながら、従来のバルーン式照明装置では、発光板の角度を変えるときに、全ての発光板を１つずつ手で開いたり、閉じたりしなければならなかった。発光板は、布状のバルーンで密閉状に覆われているので、そのバルーンをいったん外さないと全ての発光板の角度を変えることができず、面倒であるという問題がある。特に高出力のバルーン式照明装置では、台車やマストが大型のものとなり、マスト収納時においても光源部の位置が高いため、その作業がとても難しくなる。
【０００５】
本発明は、かかる点に鑑みてなされたものであり、その目的とするところは、簡単な構成で発光板の角度を容易に変更できるようにすることにある。
【課題を解決するための手段】
【０００６】
上記の目的を達成するために、この発明では、複数の発光板を連動できるようにした。
【０００７】
具体的には、第１の発明では、光源部と、該光源部を覆うバルーンと、該バルーンの内部に空気を送り込む送風部とを備えたバルーン式照明装置を前提とし、
上記光源部は、
外面に複数のＬＥＤ素子が配列されて支持側端部が揺動自在に支持される複数の発光板と、
先端側で各発光板の内面側を支持し、基端側がスライダに揺動可能に連結された複数のアーム部と、
上記スライダをスライド移動可能に支持するシャフト部とを備え、
上記スライダを上記シャフト部に沿ってスライドさせることで上記アーム部により上記複数の発光板が揺動され、起立して筒状となる閉じ状態と、外方へ倒れる開き状態とに切換可能に構成されている。
【０００８】
上記の構成によると、スライダをシャフト部に沿って移動させると、このスライダに連結された複数のアーム部が対応する発光板を揺動させる。このため、スライダにより複数の発光板を連動させることができるので、従来のように発光板を１枚ずつ揺動させる必要がない。
【０００９】
第２の発明では、第１の発明において、
上記シャフト部には、上記スライダを付勢して上記複数の発光板を閉じ状態又は開き状態へ揺動させる付勢部材が設けられている。
【００１０】
上記の構成によると、付勢部材がスライダをシャフト部に沿って一方向に付勢して複数の発光板を同時に閉じ状態又は開き状態へ揺動させることができるので、例えば、付勢手段の付勢力に抗する部品を設け、その部品によるロックを外せば、自動で閉じ状態又は開き状態を維持できるようにすることができ、さらに発光板の揺動が容易となる。なお、スライダは、付勢部材で直接付勢してもよいし、間接的に付勢してもよい。
【００１１】
第３の発明では、第２の発明において、
上記付勢部材は、上記複数の発光板を閉じ状態へ付勢し、
上記複数の発光板の少なくとも１つには、引っ張ることで、上記付勢部材に抗して上記複数の発光板を同時に開くツマミ部が設けられている。
【００１２】
上記の構成によると、ツマミ部を引っ張ることで、スライダを動かして一度に複数の発光板を開くことができ、ツマミ部を外せば、付勢部材の付勢力により、スライダがシャフト部に沿って移動し、複数の発光板が自動で閉じ状態に戻る。このため、バルーンの一部のみを開いてツマミ部を操作するだけで複数の発光板を揺動させることができるので、複数の発光板の揺動操作が極めて容易となる。
【００１３】
第４の発明では、第３の発明において、
上記閉じ状態において、上記複数の発光板の間に配置される複数の支柱を備え、
上記ツマミ部の一部が上記複数の支柱のいずれかに当接して上記複数の発光板の開き状態を保持可能に構成されている。
【００１４】
上記の構成によると、ツマミ部を引っ張って複数の発光板を開いた後、ツマミ部の一部を支柱に当接させて付勢部材の付勢力により複数の発光板が閉じ状態に戻ろうとするのを防ぎ、開き状態を保持することができる。逆にこのツマミ部のロックを解除することで、付勢部材の付勢力により容易に閉じ状態に戻すことができる。
【００１５】
第５の発明では、第４の発明において、
上記付勢部材は、上記シャフト部の外周に挿入される圧縮コイルバネであり、上記スライダを押し下げるように構成されている。
【００１６】
上記の構成によると、簡易かつコンパクトな構成でスライダを効果的に押し下げることができる。
【００１７】
第６の発明では、第５の発明において、
上記アーム部の先端は、上記スライダに連結された基端よりも上記圧縮コイルバネ側にある。
【００１８】
上記の構成によると、複数の発光板を開いて傾斜させたときに圧縮コイルバネの圧縮力に抗してスライダを押し上げる。ツマミ部を離すと、圧縮コイルバネに付勢されてスライダが押し下げられ、複数の発光板が閉じ状態に自動で戻る。
【００１９】
第７の発明では、第１〜第６のいずれか１つの発明において、
上記発光板の内面には、複数の放熱フィンが設けられ、
上記アーム部は、上記放熱フィンを避ける回避部を有し、
上記アーム部の先端は、上記発光板の内面における上記放熱フィンの間の平坦な部分に連結されている。
【００２０】
上記の構成によると、できるだけ広い表面積を持つ放熱フィンを配置し、その空いた空間を利用してアーム部を配置できる。
【発明の効果】
【００２１】
以上説明したように、本発明によれば、スライダをシャフト部に沿ってスライドさせることでアーム部により複数の発光板を揺動させて起立して筒状となる閉じ状態と外方へ倒れる開き状態とに切換可能に構成したことにより、簡単な構成で発光板の角度を容易に変更できる。
【図面の簡単な説明】
【００２２】
【図１】１枚の発光板を取り外して内部が見えるようにした拡大斜視図である。
【図２】本発明の実施形態に係るバルーン式照明装置を示す正面図である。
【図３】閉じ状態の光源部及びその周辺を拡大して示す斜視図である。
【図４】開き状態の光源部及びその周辺を拡大して示す斜視図である。
【図５】閉じ状態のツマミ部及びその周辺を拡大して示す斜視図である。
【図６】開き状態のツマミ部及びその周辺を拡大して示す斜視図である。
【発明を実施するための形態】
【００２３】
以下、本発明の実施形態を図面に基づいて説明する。
【００２４】
図２は本発明の実施形態のバルーン式照明装置１を示し、このバルーン式照明装置１は、光源部２と、この光源部２を覆うバルーン３（２点鎖線で示す）と、このバルーン３の内部に空気を送り込む送風部４とを備えている。
【００２５】
光源部２は、伸縮可能なマスト５の先端に支持され、マスト５の基端が三脚スタンド６に支持されている。この三脚スタンド６は、四脚スタンドでもよいし、台車形状を有していてもよい。三脚スタンド６には、交流を直流に変換するコンバータユニット（電源ユニット）７が設けられ、図示しない電源部から電力が供給されるようになっている。電源部は、交流電源でもよいし、発電機や蓄電装置でもよい。
【００２６】
送風部４は、詳しくは図示しないが、例えば光源部２の下端の基台部８に内蔵された電動ファンよりなる。なお、マスト５の先端から基台部８の部分を傾斜させ、バルーン３が傾くようにしてもよい。
【００２７】
図３及び図４に示すように、光源部２の外周が、基台部８に円筒形状に立設された鳥かご状のガード９で覆われている。バルーン３は、半透明の布状のもので、図示しないファスナーを開いてガード９の外側から光源部２の全体を包み込み、基台部８の外周に固定するようになっている。例えば、基台部８の外周にマジックテープ（登録商標）を貼り付けてバルーン３から空気が漏れないように締め付けながら固定できるようにすればよい。固定した状態で送風部４から空気を送り込むことにより、バルーン３が膨らんだ状態で保たれ、光源部２の光を包み込むようになっている。例えば、バルーン３の上半分を反射タイプとしてもよい。図示しないが、コンバータユニット７に電源スイッチが設けられている。
【００２８】
そして、図１に示すように、本実施形態に係る光源部２は、外面に複数のＬＥＤ素子が配列されて支持側端部が揺動自在に支持される複数の上段発光板１０を備えている。本実施形態では、例えば、４枚の下段発光板１９及び４枚の上段発光板１０が設けられている。各上段発光板１０は、金属製フレームを組み立てた枠状の光源部本体１１に嵌め込まれている。光源部本体１１は、底板１１ａに支柱を兼用した筒状に配置した下段発光板１９が立設されている。上段部は、下段部に対し、締結部材１１ｂ等により、例えば八角形状の中間板１１ｃで連結されている。中間板１１ｃには、４本の上側支柱１１ｄをそれらをつなぐように左右に延びる梁１１ｅが連結された枠状部材を有している。中間板１１ｃに形成した４つの梁１１ｅにそれぞれ上段発光板１０が下端のヒンジ部１３を中心に揺動可能に支持されている。天板１１ｆに設けた梁１１ｅにより、上段発光板１０がそれ以上内側へ倒れないようになっている。
【００２９】
また、４枚の下段発光板１９と、４枚の上段発光板１０とは、例えば９０°ずつずらして配置されている。これにより、できるだけむらなく光を照らせるようになっている。下段発光板１９には、それぞれ１つずつのＬＥＤ素子としてのＬＥＤ発光ユニット１２が設けられているのに対し、上段発光板１０にはそれぞれ２つずつのＬＥＤ発光ユニット１２が設けられている。ＬＥＤ発光ユニット１２の個数はこれに限定されない。また、上段発光板１０及び下段発光板１９の枚数は、いずれも４枚ではなく、３枚や、５枚以上でもよい。
【００３０】
１つのＬＥＤ発光ユニット１２には、多数のＬＥＤが集積されたチップ型ＬＥＤが設けられている。図示しないが、ＬＥＤ発光ユニット１２から延びるハーネスは、基台部８に延びている。
【００３１】
ＬＥＤ発光ユニット１２は、使用中に大量の熱を発生するので、円筒状に配置した上段発光板１０及び下段発光板１９におけるＬＥＤ発光ユニット１２の背面側には、例えばアルミニウム合金等よりなる複数の板状フィンが設けられた放熱フィン１４が取り付けられている。この放熱フィン１４には、送風部４からの空気が当てられることで、ＬＥＤ発光ユニット１２の温度を下げられるようになっている。
【００３２】
次いで、４枚の上段発光板１０の揺動構造について詳しく説明する。上段発光板１０には、ＬＥＤ発光ユニット１２に対応させて一対の放熱フィン１４が上下に間隔を空けて設けられており、この両者間の隙間の平坦な内面にアーム部１５の先端１５ａが回動可能に連結されている。天板１１ｆと中間板１１ｃとの間にシャフト部１６が設けられている。シャフト部１６の外周には、上下にスライド移動可能なスライダ１７が挿通されている。各アーム部１５の基端１５ｂは、スライダ１７に回動可能に連結されている。スライダ１７の上側には、天板１１ｆとの間に付勢部材としての圧縮コイルバネ１８が挿入されている。そして、アーム部１５の基端１５ｂがスライダ１７に揺動可能に連結されている。アーム部１５は、中間部に折れ曲がって放熱フィン１４を避けるように回避部１５ｃが形成されている。
【００３３】
そして、スライダ１７をシャフト部１６に沿ってスライドさせることで、アーム部１５により４枚の上段発光板１０が揺動され、図５に示すように起立して筒状となる閉じ状態と、図６に示すように外方へ倒れる開き状態とに切換可能に構成されている。スライダ１７は、圧縮コイルバネ１８で直接付勢してもよいし、別の部材を介して間接的に付勢してもよい。圧縮コイルバネ１８がスライダ１７を下方へ付勢することで、結果として４枚の上段発光板１０を閉じ状態へ付勢している。
【００３４】
そして、４枚の上段発光板１０の１つには、引っ張ることで、スライダ１７を上方へ引き上げて圧縮コイルバネ１８に抗して４枚の上段発光板１０を同時に開くツマミ部２０が設けられている。ツマミ部２０の奥側には、例えば鋼板を折り曲げて形成した当接片２１が回転一体に設けられている。この当接片２１に対応する上側支柱１１ｄの部分に、この当接片２１ができるだけ広い面積で当接するように所定の角度に傾斜させて当接部２２が形成されている。当接片２１が当接部２２に点接触ではなく広い面積で当接することで、４枚の上段発光板１０の開き状態を保持可能に構成されている。
【００３５】
次に、本実施形態に係るバルーン式照明装置１の上段発光板１０の切換操作について説明する。
【００３６】
まず、図２、図３及び図５に示すように４枚の上段発光板１０が垂直に立った閉じ状態では、ＬＥＤ発光ユニット１２の光は、水平方向に照射される。ＬＥＤは、蛍光灯に比べて指向性が高いので、比較的真下が暗くなる傾向にある。この状態では、ツマミ部２０及び当接片２１は、ほぼ垂直に維持され、圧縮コイルバネ１８がスライダ１７を下方へ付勢することで閉じ状態として安定している。
【００３７】
バルーン式照明装置１の作動時には、送風部４から図２に示すように空気を送風し、図示しない吹出孔から放熱フィン１４を通過して暖められた空気が吹き出されるようになっている。吹出孔の大きさを調整することで、バルーン３がしぼまないようにしながら放熱効果を保つようになっている。
【００３８】
次いで、真下側も照らしたい場合には、上段発光板１０を外側へ傾斜させる。そのために、電源スイッチ（図示せず）を切って送風部４等の停止状態で、バルーン３のチャックを開いて手を差し込んでツマミ部２０を引き出し、圧縮コイルバネ１８を圧縮させながらスライダ１７を上昇させる。すると、スライダ１７の動きに連動してアーム部１５の先端１５ａに連結された上段発光板１０の内面が押されて外側へ倒れる。
【００３９】
このまま手を離すと、圧縮コイルバネ１８の付勢力により元の閉じ状態に戻ってしまうので、ツマミ部２０を回転させて当接片２１が当接部２２に広い面積で当接するようにして手を離す。すると、図６に示すように、当接片２１がストッパとなって４枚の上段発光板１０が開き状態で保持される。このとき、できるだけ広い面積で当接しているので、上段発光板１０が安定する。
【００４０】
このように本実施形態では、スライダ１７をシャフト部１６に沿って移動させると、このスライダ１７に連結された４枚のアーム部１５が対応する上段発光板１０を揺動させるので、従来のように上段発光板１０を１枚ずつ揺動させる必要がない。
【００４１】
また、ツマミ部２０を引っ張ることで、一度に複数の上段発光板１０を開くことができ、ツマミ部２０を外せば、圧縮コイルバネ１８の付勢力により、スライダ１７がシャフト部１６に沿って移動し、複数の上段発光板１０が自動で閉じ状態に戻る。このため、バルーン３の一部のみを開いてツマミ部２０を操作するだけで複数の上段発光板１０を揺動させることができるので、複数の上段発光板１０の揺動操作が極めて容易となる。
【００４２】
また、付勢部材をシャフト部１６の外周に挿入される圧縮コイルバネ１８とし、この圧縮コイルバネ１８でスライダ１７を押し下げるように構成したので、簡易かつコンパクトな構成でスライダ１７を効果的に押し下げることができる。
【００４３】
また、圧縮コイルバネ１８により、スライダ１７にテンションをかけることで、シャフト部１６とスライダ１７との間のガタつきを低減し、スライダ１７の動きをスムーズにすることができる。
【００４４】
また、アーム部１５の先端１５ａを基端１５ｂよりも圧縮コイルバネ１８側にしたので、ツマミ部２０を引いて４枚の上段発光板１０を開いて傾斜させたときに圧縮コイルバネ１８の圧縮力に抗してスライダ１７を効率よく押し上げることができ、ツマミ部２０を離すと、圧縮コイルバネ１８に付勢されてスライダ１７が押し下げられ、４枚の上段発光板１０を閉じ状態に自動で戻すことができる。
【００４５】
また、上段発光板１０の内面に複数の放熱フィン１４を設け、アーム部１５の回避部１５ｃで放熱フィン１４を避けるようにして、先端１５ａを放熱フィン１４の間の平坦な部分に連結させたので、できるだけ広い表面積を持つ放熱フィン１４を配置しながらも、その空いた空間を利用してアーム部１５を配置できる。
【００４６】
したがって、本実施形態に係るバルーン式照明装置１によると、簡単な構成で上段発光板１０の角度を容易に変更できる。
【００４７】
（その他の実施形態）
本発明は、上記実施形態について、以下のような構成としてもよい。
【００４８】
すなわち、上記実施形態では、圧縮コイルバネ１８によってスライダ１７を付勢して４枚の上段発光板１０を閉じ状態へ揺動させるようにしているが、この上段発光板１０の枚数は４枚に限定されず、また、開き状態へ付勢するようにしてもよい。例えば、スライダ１７を上方へ付勢するようにするとよい。その場合には、圧縮コイルバネ１８ではなく、引張コイルバネとしてもよい。また、引張コイルバネでスライダ１７を押し下げたり、圧縮コイルバネでスライダ１７を押し上げるようにしたりしてもよい。
【００４９】
また、上段発光板１０を開き保持する上記実施形態以外の方法として、ワイヤの一端をスライダ１７の上部に固定すると共に、ワイヤを天板１１ｆに設けた孔から光源部本体１１より外に引き出し、引っ張ることにより、スライダ１７をスライドさせて上段発光板１０を揺動させた後、ワイヤの他端に設けたフックをガード９に引っ掛けることにより上段発光板１０の開き状態を保持させてもよい。
【００５０】
上記実施形態では、４枚の下段発光板１９は光源部本体１１に固定されているが、下段発光板１９も揺動可能としてもよい。その場合、上段発光板１０を固定してもよいし、上段及び下段のいずれも揺動可能としてもよい。下段発光板１９を揺動可能とする場合には、下段にもスライダ１７、アーム部１５、ツマミ部２０等を設けるとよい。
【００５１】
上段及び下段のいずれも揺動可能とした場合、上下段のスライダ１７を連結することにより、上下段の発光板１０，１９を同時に揺動するようにしてもよい。
【００５２】
なお、以上の実施形態は、本質的に好ましい例示であって、本発明、その適用物や用途の範囲を制限することを意図するものではない。
【産業上の利用可能性】
【００５３】
以上説明したように、本発明は、ファンから空気を送り込んで光源部を包むバルーンを膨らませるバルーン式照明装置について有用である。
【符号の説明】
【００５４】
１      バルーン式照明装置
２      光源部
３      バルーン
４      送風部
５      マスト
６      三脚スタンド
７      コンバータユニット（電源ユニット）
８      基台部
９      ガード
１０      上段発光板
１１      光源部本体
１１ａ    底板
１１ｂ    締結部材
１１ｃ    中間板
１１ｄ    上側支柱（支柱）
１１ｅ    梁
１１ｆ    天板
１２      ＬＥＤ発光ユニット（ＬＥＤ素子）
１３      ヒンジ部
１４      放熱フィン
１５      アーム部
１５ａ    先端
１５ｂ    基端
１５ｃ    回避部
１６      シャフト部
１７      スライダ
１８      圧縮コイルバネ
１９      下段発光板
２０      ツマミ部
２１      当接片
２２      当接部
【図１】
0006401985.tif 000002
【図２】
0006401985.tif 000003
【図３】
0006401985.tif 000004
【図４】
0006401985.tif 000005
【図５】
0006401985.tif 000006
【図６】
0006401985.tif 000007